(57)【要約】【課題】何人も容易に使用し得る安価な鋏研ぎ具を提供する。【解決手段】相互に平行な第一支持板１と第二支持板３とにはそれぞれ支持ねじ１１、１３に対応する雌ねじを備えさせ、各支持ねじを鋏における動刃５と静刃７との鋏要ねじ孔に挿通させた状態で各雌ねじに螺合させることにより動刃と静刃とのいずれか一方を第一支持板上に、他方を第二支持板上に、それぞれ鋏要ねじ孔を回動中心として回動可能に支持させ、第一支持板と第二支持板とにはそれぞれ動刃または静刃の背部２３、２５に当接することにより動刃又は静刃の回動方向における角度を調節する角度調節手段２７、２９を備えさせたことを特徴とする鋏研ぎ具。【選択図】図１
2006281334.tif 000002
【特許請求の範囲】
【請求項１】
相互に平行な第一支持板と第二支持板とにはそれぞれ支持ねじに対応する雌ねじを備えさせ、各支持ねじを鋏における動刃又は静刃の鋏要ねじ孔に挿通させた状態で各雌ねじに螺合させることにより動刃と静刃とのいずれか一方を第一支持板上に、他方を第二支持板上に、それぞれ鋏要ねじ孔を回動中心として回動可能に支持させ、第一支持板と第二支持板とにはそれぞれ動刃又は静刃の背部に当接することにより動刃又は静刃の回動方向における角度を調節する角度調節手段を備えさせたことを特徴とする鋏研ぎ具。
【請求項２】
前記角度調節手段は、動刃又は静刃に接離する方向に進退するように第一支持板又は第二支持板に調節ねじを備えさせ、該調節ねじを進退させることにより動刃又は静刃の回動方向における角度を調節するようにしてなることを特徴とする請求項１に記載の鋏研ぎ具。
【請求項３】
前記角度調節手段は、第一支持板上又は第二支持板上にロック手段を備えた調節板を回動自在に配設し、該調節板を回動させることにより動刃又は静刃の回動方向における角度を調節するようにしてなるなることを特徴とする請求項１に記載の鋏研ぎ具。
【請求項４】
前記第一支持板と第二支持板とを連結部を介して略コ字状に構成し、第一支持板と第二支持板とのいずれか一方を該連結部に接離する方向に調節自在としたことを特徴とする請求項１〜３のいずれかに記載の鋏研ぎ具。
【発明の詳細な説明】
【技術分野】
【０００１】
本発明は、鋏研ぎ具に関するものであり、例えば理容師が用いる理髪鋏等の鋏を研ぐ際に使用される鋏研ぎ具に係るものである。
【背景技術】
【０００２】
鋏を研ぐ際には、一般に、鋏要ねじを外して鋏を動刃と静刃とに分解し、動刃と静刃とを１本ずつ砥石により手作業で研ぎ、又は、動刃と静刃とを１本ずつ鋏研ぎ機により研ぐという手法が用いられている。
【０００３】
特開平１１−２４５１４６号公報は、理髪鋏の研ぎ機（以下「従来の鋏研ぎ機」という。）を開示している。この従来の鋏研ぎ機は、鋏保持手段に保持させた動刃と静刃とを１本ずつモータにより往復動する砥石により研ぐようにしたものである。
【特許文献１】特開平１１−２４５１４６号公報
【発明の開示】
【発明が解決しようとする課題】
【０００４】
しかるに、動刃と静刃とを所定の刃角になるように１本ずつ砥石により手作業で研ぐ作業は、高度な技術と熟練とを要するものであって、鋏の一般使用者が容易になし得るものではない。
【０００５】
一方、従来の鋏研ぎ機は、鋏保持手段に保持させた動刃と静刃とを１本ずつモータにより往復動する砥石により研ぐようにしたものであって、複雑な構造を有し、極めて高価なものである。
【０００６】
本発明は、従来の技術における上述の如き問題を解決し、何人も容易に使用し得る安価な鋏研ぎ具を提供しようとしてなされたものである。
【課題を解決するための手段】
【０００７】
上記課題を解決するために、本発明は、下記の鋏研ぎ具を提供する。
【０００８】
（１）相互に平行な第一支持板と第二支持板とにはそれぞれ支持ねじに対応する雌ねじを備えさせ、各支持ねじを鋏における動刃又は静刃の鋏要ねじ孔に挿通させた状態で各雌ねじに螺合させることにより動刃と静刃とのいずれか一方を第一支持板上に、他方を第二支持板上に、それぞれ鋏要ねじ孔を回動中心として回動可能に支持させ、第一支持板と第二支持板とにはそれぞれ動刃又は静刃の背部に当接することにより動刃又は静刃の回動方向における角度を調節する角度調節手段を備えさせたことを特徴とする鋏研ぎ具（請求項１）。
【０００９】
（２）前記角度調節手段は、動刃又は静刃に接離する方向に進退するように第一支持板又は第二支持板に調節ねじを備えさせ、該調節ねじを進退させることにより動刃又は静刃の回動方向における角度を調節するようにしてなるものである（請求項２）。
【００１０】
（３）前記角度調節手段は、第一支持板上又は第二支持板上にロック手段を備えた調節板を回動自在に配設し、該調節板を回動させることにより動刃又は静刃の回動方向における角度を調節するようにしてなるものである（請求項３）。
【００１１】
（４）前記第一支持板と第二支持板とを連結部を介して略コ字状に構成し、第一支持板と第二支持板とのいずれか一方を該連結部に接離する方向に調節自在とする（請求項４）。
【００１２】
［発明の作用］
［請求項１の発明］
鋏研ぎ具を用いて鋏を研ぐ際には、鋏要ねじを取り外して鋏を動刃と静刃とに分解する。動刃と静刃の各鋏要ねじ孔にそれぞれ支持ねじを挿通させると共に各支持ねじを第一支持板又は第二支持板の雌ねじに螺合させることにより、動刃と静刃とを第一支持板と第二支持板とに支持させる。動刃と静刃は、それぞれ第一支持板と第二支持板とのいずれに支持させてもよい。このとき、各支持ねじを若干緩めることにより動刃と静刃とをそれぞれ鋏要ねじ孔を回動中心として回動自在となした状態で、第一支持板と第二支持板との角度調節手段により動刃と静刃の回動方向における角度を調節して動刃と静刃の切断縁が相互に並行になるようになし、各支持ねじを締め付けて動刃と静刃とを第一支持板と第二支持板とに固定する。
【００１３】
以上の如く動刃と静刃とを第一支持板と第二支持板とに固定した状態で、鋏研ぎ具を上下反転させ、動刃と静刃とを砥石ないし研磨板に押圧して研ぐのである。図１参照。
【００１４】
なお、動刃と静刃はそれぞれ表刃ａと裏刃ｂとを備えているが（図６参照）、一般的には表刃ａのみが研がれる。表刃ａを研ぐ場合、動刃と静刃の裏刃ｂが各支持板の表面に接触し、動刃と静刃の表刃ａが露出するようにした状態で、動刃と静刃とをそれぞれ第一支持板と第二支持板とに取り付ける。
【００１５】
［請求項２の発明］
動刃又は静刃の回動方向における角度を調節する際には、各支持ねじを若干緩めることにより動刃と静刃とをそれぞれ鋏要ねじ孔を回動中心として回動自在となした状態で、調節ねじを所望の位置まで進退させ、動刃と静刃の背部を調節ねじに当接させた状態で各支持ねじを締め付けるのである。
【００１６】
［請求項３の発明］
動刃又は静刃の回動方向における角度を調節する際には、各支持ねじを若干緩めることにより動刃と静刃とをそれぞれ鋏要ねじ孔を回動中心として回動自在となした状態で、調節板を所望の位置まで回動させてロック手段によりロックし、動刃と静刃の背部を調節板に当接させた状態で各支持ねじを締め付けるのである。
【００１７】
［請求項４の発明］
第一支持板と第二支持板とのいずれか一方を連結部に接離する方向に調節することにより、形成すべき刃角αを調節することができる。因みに、刃角αは、表刃ａと裏刃ｂとの間の角度である（図６参照）。例えば、図５において、第二支持板（３）を連結部（９）に接近する方向に調節したときには、刃角αは大きくなり、第二支持板（３）を連結部（９）から離れる方向に調節したときには、刃角αは小さくなる。なお、刃角αは、動刃と静刃の材質により、例えば３０〜４０度に形成される。
【発明の効果】
【００１８】
［請求項１の発明］
請求項１の発明は、下記の如き優れた効果を発揮する。
【００１９】
（イ）未熟練者であっても、鋏を容易かつ確実に研ぐことができる。
【００２０】
（ロ）動刃と静刃とを同時に研ぐことができる。
【００２１】
（ハ）動刃と静刃とをそれぞれの刃角αが相等しく、かつ、一定になるように研ぐことができる。
【００２２】
（ニ）鋏研ぎ具は、構造が簡単であって、安価に提供することができる。
【００２３】
［請求項２の発明］
請求項２の発明は、上記請求項１の発明と同様の効果を奏すると共に、下記の効果を発揮する。
【００２４】
（ホ）調節ねじを進退させることにより動刃又は静刃の回動方向における角度を容易かつ確実に調節することができる。
【００２５】
［請求項３の発明］
請求項２の発明は、上記請求項１の発明と同様の効果を奏すると共に、下記の効果を発揮する。
【００２６】
（ヘ）調節板を回動させることにより動刃又は静刃の回動方向における角度を容易かつ確実に調節することができる。
【００２７】
［請求項４の発明］
第一支持板と第二支持板とのいずれか一方を連結部に接離する方向に調節することにより、形成すべき刃角αを調節することができる。
【発明を実施するための最良の形態】
【００２８】
符号１に示すものは第一支持板であり、符号３に示すものは第二支持板である。符号５に示すものは鋏における動刃であり、符号７に示すものは鋏における静刃である。
【００２９】
第一支持板１と第二支持板３とは相互に平行である。
【００３０】
即ち、一例として、第一支持板１と第二支持板３とを連結部９を介して略コ字状に構成する。
【００３１】
第一支持板１と第二支持板３とにはそれぞれ支持ねじ１１、１３に対応する雌ねじ１５、１７を備えさせる。
【００３２】
各支持ねじ１１、１３を鋏における動刃５又は静刃７の鋏要ねじ孔１９、２１に挿通させた状態で各雌ねじ１５、１７に螺合させることにより動刃５と静刃７とのいずれか一方を第一支持板１上に、他方を第二支持板３上に、それぞれ鋏要ねじ孔１９、２１を回動中心として回動可能に支持させる。
【００３３】
第一支持板１と第二支持板３とにはそれぞれ動刃５又は静刃７の背部２３、２５に当接することにより動刃５又は静刃７の回動方向における角度を調節する角度調節手段２７又は２９を備えさせる。
【００３４】
一方の角度調節手段２７は、動刃５又は静刃７に接離する方向に進退するように第一支持板１又は第二支持板３に調節ねじ３１を備えさせ、該調節ねじ３１を進退させることにより動刃５又は静刃７の回動方向における角度を調節するようにしてなるものである。
【００３５】
符号３３に示すものは調節ねじ取付板であり、該調節ねじ取付板３３に設けためねじに調節ねじ３１が螺合される。調節ねじ３１の先端３１ａは、動刃５又は静刃７の背部２３、２５に当接する。
【００３６】
他方の角度調節手段２９は、第一支持板１上又は第二支持板３上にロック手段３５を備えた調節板３７を回動自在に配設し、該調節板３７を回動させることにより動刃５又は静刃７の回動方向における角度を調節するようにしてなるものである。
【００３７】
図示の事例においては、調節板３７をロック手段３５たる締め付けねじを介して第一支持板１又は第二支持板３に取り付けている。該締め付けねじ３５を緩めたときには、調節板３７は回動自在となり、該締め付けねじ３５を締め付けたときには、調節板３７は回動不能にロックされる。調節板３７は、動刃５又は静刃７の背部２３、２５に当接する。
【００３８】
第一支持板１と第二支持板３とのいずれか一方を前記連結部９に接離する方向に調節自在とする。
【００３９】
即ち、図示の事例においては、連結部９に第一支持板１と平行な延長部３９を形成し、該延長部３９には長孔４１を形成し、締め付けねじ４３を該長孔４１に挿通させると共に第二支持板３に螺合させることにより、該第二支持板３を連結部９に接離する方向に調節自在となしている。
【００４０】
即ち、図示の事例においては、締め付けねじ４３を緩めたときには、第二支持板３は延長部３９に対し連結部９に接離する方向に調節自在となり、締め付けねじ４３を締め付けたときには、第二支持板３は延長部３９にロックされる。
【００４１】
なお、図４においては、ロック手段３５たる締め付けねじに対応させて、連結部９の延長部３９に長孔４５が形成されている。
【００４２】
図１における符号４７に示すものは、砥石ないし研磨板である。また、符号４９に示すものは動刃５の切断縁であり、符号５１に示すものは静刃７の切断縁である。
【図面の簡単な説明】
【００４３】
【図１】本発明による鋏研ぎ具により動刃と静刃とを研いでいる状態を示す斜視図である。
【図２】同上鋏研ぎ具の正面図である。
【図３】同上鋏研ぎ具の底面図である。
【図４】同上鋏研ぎ具の背面図である。
【図５】同上鋏研ぎ具の側面図である。
【図６】動刃又は静刃の断面図である。
【図７】動刃の平面図である。
【図８】静刃の平面図である。
【符号の説明】
【００４４】
α  刃角
ａ  表刃
ｂ  裏刃
１  第一支持板
３  第二支持板
５  動刃
７  静刃
９  連結部
１１  支持ねじ
１３  支持ねじ
１５  雌ねじ
１７  雌ねじ
１９  鋏要ねじ孔
２１  鋏要ねじ孔
２３  背部
２５  背部
２７  角度調節手段
２９  角度調節手段
３１  調節ねじ
３１ａ  先端
３３  調節ねじ取付板
３５  ロック手段
３７  調節板
３９  延長部
４１  長孔
４３  締め付けねじ
４５  長孔
４７  砥石ないし研磨板
４９  切断縁
５１  切断縁
【図１】
2006281334.tif 000003
【図２】
2006281334.tif 000004
【図３】
2006281334.tif 000005
【図４】
2006281334.tif 000006
【図５】
2006281334.tif 000007
【図６】
2006281334.tif 000008
【図７】
2006281334.tif 000009
【図８】
2006281334.tif 000010